(57)【要約】      （修正有）【課題】複製不能な識別マークによる、一般人が容易に出来る真贋判定の方法を提供する。【解決手段】物品或いはその保証書上に微小なマークを識別マークとして印字し、その印字の人為的に制御不可能なミクロ的形状の画像を記憶させ、物品の製造番号と共にその画像をマスター画像として保管した後、物品或いは保証書付の物品を市場に送り出し、一般人は、識別マークを顕微鏡で拡大した画像を読取り、或いは電子的読取装置で識別マークのミクロ的形状を読取り、真贋判定管理センターへ対象物品の製造番号と共に送信し、該管理センターはその画像と保管しているマスター画像を照合してミクロ的形状の一致不一致により真贋を判定し、その判定結果は送信元に返信されて当該一般人は真贋の判定結果を得る。【選択図】図１
2014200998.tif 000002
【特許請求の範囲】
【請求項１】
個別物品の真贋判定方法または認識方法（以下両方法を総称して真贋判定方法という）であって、
対象物品色と色差が大きい色で微小な形を印字して識別マークとし、或いは別の印字の部分を特定してそれを識別マークとし、該識別マークの人が制御できないミクロ的輪郭線の形状を識別マークの識別子とする第１ステップ、
該識別マークを顕微鏡で拡大してその輪郭線のミクロ的形状をデジタルカメラで撮像して読取る、或いは該ミクロ的形状を電子的読取装置で直接読取る第２ステップ、
読取った画像をデジタル記憶装置に記憶する第３ステップ、
個別物品識別符号を、記憶された識別マークの画像と対応させて、デジタル記憶装置に記憶する第４ステップ、
物品に印字された識別マークを顕微鏡で拡大してその輪郭線のミクロ的形状を受像端末で受像して読取り、或いは該ミクロ的形状を電子的読取装置で直接読取り、更に該物品の個別物品識別符号を読取る第５ステップ、
読取った物品の個別物品識別符号と、読取った識別マークの輪郭線のミクロ的形状をインターネットを通じて送信する第６ステップ、
それらを受信する第７ステップ、
受信した個別物品識別符号と識別マークの輪郭線のミクロ的形状を、記憶されているそれらと夫々照合し、それらの一致不一致を判定する第８ステップ、および
その判定結果に基づき対象物品の真贋を返信する第９ステップ、
の全てのステップを単独で又は複数の者が分担して実施する前記第１ステップないし前記第９ステップから構成される物品の真贋判定方法。
【請求項２】
個別物品の真贋判定方法または認識方法（以下両方法を総称して真贋判定方法という）であって、
請求項１記載の第１ないし第４ステップと夫々同じ第１ないし第４ステップ、
対象物品の個別物品識別符号を読取る第５ステップ、
読取った物品の個別物品識別符号をインターネットを通じて送信する第６ステップ、
それを受信する第７ステップ、
受信した個別物品識別符号に対応する記憶されている識別マークの輪郭線のミクロ的形状の画像を返信する第８ステップ、および
返信された識別マークの輪郭線のミクロ的形状と、対象物品の識別マークを拡大してその輪郭線のミクロ的形状とを照合し、それらの一致不一致によって対象物品の真贋を判定する第９ステップ、
の全てのステップを単独で又は複数の者が分担して実施する前記第１ステップないし前記第９ステップから構成される物品の真贋判定方法。

【請求項３】
請求項１、または請求項２記載の、物品に印字して識別マークとすること、に代えて、物品とは別の印字媒体に請求項１または請求項２と同様に印字して識別マークとし、該印字媒体を対象物品に対応付ける請求項１、または請求項２記載の物品の真贋判定方法。
【発明の詳細な説明】
【技術分野】
【０００１】
複製不可能な印字された微小識別マークによる一般人が容易に出来る個別物品の真贋判定方法或いは個別物品の認識方法に関する。
【背景技術】
【０００２】
物品或いはその保証書に複製不可能なミクロ的識別マークを印字し（印字するとは文字や符号に限らず任意の形を印刷することをいう）、それに物品識別符号（製造番号、シリアル番号等）を対応させ、それらを記憶装置に記憶させた後に、識別マークと共に物品を出荷し、その後、該出荷された物品の保持者がその真贋を判定したい時に、該物品識別符号と該識別マークを読取って、それをインターネットで真贋判定者に送信し、真贋判定者は受信した該物品識別符号と該識別マークを記憶してあるそれらと照合して、その合致不合致によって物品の真贋を判定し、結果を返信する、ことから構成される真贋判定システムが実用化されている。
【先行技術文献】
【特許文献】
【０００３】
【特許文献１】特願２０１０−２８３６９１上記の特許出願は、特許第４７７５７２７号として登録されている。
【特許文献２】ＰＣＴ/ＪＰ２０１１/０６５９１５上記特許出願は、日本国内に移行され、特許５０７１５９２号として登録されている。
【発明の概要】
【発明が解決しようとする課題】
【０００４】
上記の特許文献１および特許文献２の発明は、印刷媒体と色差が大きい識別マークを印字し、該印字の形状制御限界以下のミクロ的輪郭線の形状のみを識別子とすることを特徴とする真贋判定方法である。そのミクロ的輪郭線の形状は人が制御できないので複製・偽造が出来ないので識別マークとして極めて優れた特性を持っている。
【０００５】
上記の特許文献１及び特許文献２は、一般人が対象物品に関わる印字された微小な識別マークを拡大鏡や顕微鏡、カメラのズーム、接写、画像拡大機能等でミクロ的輪郭線の形状が目視で判るまで拡大し、それをカメラ付き携帯電話で撮像し、その画像と製造番号を真贋判定者に送信し、真贋判定者は斯く送信された画像とそこに予め出荷前に印字され撮像され記憶されている微小識別マークのミクロ的輪郭線の形状のマスター画像と照合し、それらの輪郭線の形状の一致不一致によって真贋を判定し、その結果を送信元の一般人に返信するという真贋判定の方法である。
なお、上記形状の一致の定義は、二つの形状が相似形又は疑似相似形（二つの相似形の一方が歪んだ形状であるが照合箇所毎の凹凸の方向とその程度がほぼ同じ）であること、輪郭線の長さの一定の割合以上が相似形又は疑似相似形であること、線の濃淡や色の差は無視すること、である。不一致とはそうでないことである。
【０００６】
特許文献２において、物品の出荷前に、上記識別マークのマスター画像を得るために識別マークを顕微鏡で拡大しそれを撮像してデータベースに保管する方法もあるが、識別マークを撮像する受光素子の密度が十分高い電子的読取装置（高解像度スキャナー等）を用いて、識別マークを光学的に拡大しないで、そのミクロ的輪郭線の形状を直接読取りその電子情報をデータベースに保管する方法でもよいと記載されている。
【０００７】
一方、同上特許文献１及び２において、「識別マークを付した物品が市場に出荷された後、一般人が物品の真贋判定をするためにはまず識別マークのミクロ的輪郭線の形状を読取らなければならない。そのためには該識別マークを顕微鏡でそのミクロ的輪郭線のランダムな特徴が認識できるまで拡大し、拡大された画像をカメラ付携帯電話で撮像し、それをインターネットで真贋判定者に送信する。」と開示されている。しかし、現実的には顕微鏡とカメラ付携帯電話でミクロの世界を観測することは、一般人には初めての経験としてはそれほど容易ではない。なぜなら、
（１）対象識別マークを顕微鏡視野内に入るように探索しなければならず、
（２）さらに対象識別マークを手の微小な揺れや震えを抑えて顕微鏡視野内に固定しなければならず、
（３）顕微鏡軸と携帯電話カメラの軸を一致させて手の微小な揺れや震えを抑えて固定しなければならず、
（４）光量が多すぎれば画面が真っ白になるのでズーム倍率を変えて光量を調節しなければならないがその時上記（１）、（２）、（３）の位置がずれないように固定しなければならず、
（５）シャッターを押す時のぶれを抑制する必要もある。
これらの作業は数回試行し慣れれば容易であるが、難儀と思う或いは嫌がる一般人も多いと考えられる。これらが特許文献１及び２の課題である。
【０００８】
印字の形状制御限界以下のミクロ的輪郭線の形状のみを識別子とする識別マーク（以下本願識別マークという）を用いた特許文献１及び２の真贋判定方法は、以下の優れた特性を持っている。
（１）複製が不可能であるので唯一性を持つ
（２）個別物品の識別が出来トレースも出来る
（３）一般普及機器で出来る
（４）顕微鏡視野内で識別マークを認識し確定し易い
（５）識別マークの歪み、毀損、汚れ、退色に対して強い
（６）印字媒体は平面であれば材質を問わない
（７）誰でも製造出来てコストも極めて安い
（８）識別精度が高い
（９）瞬時に出来る
これらの優れた特性は、印字の形状制御限界以下のミクロ的輪郭線の形状が、
イ）複製は絶対にできないこと、
ロ）ミクロ的輪郭は印刷媒体と色差が大きいので輪郭線付近の濃淡のグラデーションの幅が非常に狭く2値化する際の閾値の取り方によって識別子である輪郭線の形状が大きく違わないこと、
ハ）識別子が濃淡でなく輪郭線であるから経年劣化に強いこと、
ニ）観測領域の境界のミクロ的表示は困難であるがそれを必要としないこと、
ホ）個別のミクロ的形状の特徴が明瞭で目視でも自動でも真贋判定精度が高いこと、
に基づく。これらの性質をもった人工物メトリックス識別子は自然界に他にない。上記（１）〜（９）をすべて具備した真贋判定法は、理論的かつ実質的に本願識別マークを用いた真贋判定方法以外にはない。その方法が普及すれば偽物は一般人によって容易に直ちに判明するのでそれらは存在し得なくなる。偽物退治に大いに効果があると考えられる。しかしながら、一般人にとって前述のように多少の技と慣れを習得しなければならないので該真贋判定方法の普及のための一つの課題となっている。
【課題を解決するための手段】
【０００９】
問題は、一般人が本願識別マークを顕微鏡で拡大して読取らなければならないところにある。そこで、顕微鏡で拡大して読取る代わりに、図４で表すように、識別マークを撮像する受光素子の密度が十分高い装置を用いて、識別マークを光学的に拡大しないで、そのミクロ的輪郭線の形状を直接電子的に読取りその電子情報を真贋判定者に送信する方法を採用して問題を解決する。その装置は例えば高解像度のスキャナーである。スキャナーの解像度は横方向は受光素子の数、縦方向は読取端子を機械的に送るピッチである。高解像度のスキャナーは、特許文献１及び２の真贋判定方法におけるポケット顕微鏡やカメラ付携帯電話のような一般機器にはなっておらず、現在では簡単に身に着けて持ち歩くことは出来ない。それが一般機器となるまでは、何時でも何処でも直ちに真贋判定ができるという利便性は落ちる。しかしそれは該真贋判定方法の普及にとって重大な障害とはならない筈である。このように、光学的方法で本願識別マークを拡大して読取るのではなく、電子的に識別マークのミクロ的輪郭の形状を読取ることが出来れば、該真贋判定方法の課題は一気に解決する。
【発明の効果】
【００１０】
世界の膨大な贋物を退治するには、一般人が、一般普及機器で、容易に、瞬時に、殆ど只で、精度高く、全ての物品について、真贋判定出来る真贋判定方法が必要である。これらの特徴を持つ真贋判定システムが普及すれば、世界の膨大な贋物は、存在し得なくなり、劇的に退治される筈である。それが実現できるのは本願識別マークを以てする他はない。しかし、それを以てしても従来は、特許文献１及び2のように、一般人が顕微鏡を使って行わなければならず、そのため普及の一つの妨げとなっていた。その課題を本願によって解決することによって世界の偽物による被害を大幅に縮減することが期待される。
【図面の簡単な説明】
【００１１】
【図１】真贋判定システムの概念図
【図２】保証カード
【図３】保証カードの識別マークの形状の記録（マスター情報の取得と保管）
【図４】電子的読取装置の受光素子
【発明を実施するための形態】
【００１２】
以下に発明を実施するための一つの形態（印刷媒体が保証カードの場合）を記す。実施形態は当然のことながらここに記載した方法に限らない。印刷媒体の形や材質は問わない。
（１）対象とする物品の製造業者または販売業者またはそれらから委託を受けた業者は、まず図２に示すように任意の形の微小識別マークを印刷し、それと媒体との色差が大きくするためその周辺に印刷インキの空白地帯を設け、さらに目印として設けた外枠を印刷して真贋判定の保証カードを作製する。識別マークの幅は凡そ0.2〜0.8ｍｍであり微小である。識別マークの形は上下左右が判る形であれば任意の形でよい。該識別マークは識別マークとして単独で印字しても良く、或いは特定な印字の部分を特定してそれを識別マークとしても良い。またこの識別マークは印刷媒体との色差が大きくする。色差が大きいとは、ミクロの画像で二値化のための閾値の多少の変化によっても輪郭線の形状の識別のための特徴が失われないような急こう配の色のグラデーションを呈する二つの色の関係である。
また印刷インキの空白地帯にも任意のガイド線（矢印等）を印刷し顕微鏡で識別マークに到達し易くする工夫があっても良い。
識別マークの印刷位置は、識別マークを人が顕微鏡で観測する場合は人が目印を認識でき易い部位なら任意で良い。或いは電子的読取装置で自動的に探索する場合は、あらかじめ決めておいても良いし、或いは任意にしておいて電子的に探索させても良い。電子的に探索させる場合は何らかの明瞭な目印を識別マークの周辺に設けることも必要である。
印刷インキは印刷媒体と適度の親和性を持たせ、印刷インキが適度に浸透する事によって印刷インキの適度の滲みが生ずるように、或いはインクの浸透のない印刷媒体の場合は、ミクロ的輪郭においてインクのはみ出しや欠落が生ずるように、印刷インキと印刷媒体を選定する。
印刷機の種類はオフセット印刷、グラビア印刷、活版印刷、スクリーン印刷、インクジェット印刷、等各種ありそれらの内の任意でよい。さらにこの保証カードには対象物品の個別物品識別符号（製造番号等）を印刷する。
該保証カードには本願識別マークを送信するあて先の真贋判定者のURLを印刷し、電子的に読み取らせても良い。
【００１３】
次に図３に示すように、対象とする物品の製造業者または販売業者またはそれらから委託を受けた業者は、符号３３保証カードの上に印刷してある太枠の中の印刷インキ空白地帯の中心に位置する微小識別マークと周辺の印刷インキ空白地帯の一部を符号３２顕微鏡で拡大し、その拡大像を符号３１デジタルカメラで撮像して読取る。拡大倍率は識別マークの拡大画像が一般の携帯電話の画面の1/2程度以上を占めるようにする。そうすると顕微鏡の拡大倍率は凡そ30〜50倍である。
光学的な拡大をせずに電子的読取装置によって電子的に本願識別マークを読取ってもよい。
次に読取った本願識別マークを符号３５サーバーに送信し、符号３６記憶装置に記録させ、それを正規の真の識別マークの情報（マスター画像情報と呼ぶ）としデータベースとする。この時対象物品の個別物品識別符号も同時にデータベースに入力して保存する。
【００１４】
この保証カードを対象物品に付ける。付ける方法は物理的に連結しなくてもよい。その後、対象物品を市場に出荷する。対象物品は市場に流通する。一般人であるその購入者或いは所有者或いは流通業者はその物品が正規の製造業者によって製造されたのかどうかについて知りたいと思う時、以下のような手順によって当該物品の真贋の判定をする事が出来る。
図１によって説明する。
一般人が自ら物品の真贋判定をしたい場合は、
対象物品に付されている保証カードに印刷されている個別物品識別符号を、同じく印刷されている真贋判定管理センターのＵＲＬに携帯電話で送信し、
それに応じて真贋判定管理センターのデータベースから送信されて来る対象物品固有の識別マークのマスター画像を携帯電話又はパソコンで受信しそれらの画面に現し、
保証カードの目印の領域の中心付近に存在する微小識別マークを顕微鏡で拡大し、
そのミクロ的輪郭線の形状と受信したマスター画像のミクロ的輪郭線の形状とを照合し、
真贋判定センターから指示された全輪郭線の一定割合以上の輪郭線のミクロ的形状が一致していれば、その保証書は真であると判断し、一致しているとは言えないときは贋の可能性が高いと判断する。
或いは一般人が真贋判定管理センターに判断をさせたい時は、マスター画像と共に送信されてきた下記の手順に従って操作する。顕微鏡はポケット型の簡単なもので良い。
保証カードの右上にある太枠の中心付近に印刷された微小識別マークを適度の倍率まで顕微鏡によって拡大し、それを携帯電話の画面に写し、拡大された当該マークが携帯電話の画面の凡そ1/2以上を占めるまで鮮明に拡大しその画像を送信してください。
拡大する具体的方法や工夫については、さらに詳しい手順の説明を送信してもよい。
或いは、上記のように顕微鏡によって本願識別マークを拡大して読取らないで、電子的読取装置で電子的に直接、本願識別マークの印字の形状制御限界以下のミクロ的輪郭線の形状を読取ることも出来る。読取った後、本願識別マーク情報を真贋判定センターに送信する。
【００１５】
以上によって、保証カードの微小識別マークのミクロ的輪郭線の形状の画像情報は、一般のインターネット通信回線を通じて対象物品の真贋判定管理センターのサーバーに送信され、そこで受信される。この画像情報と、その対象物品が出荷前にその個別物品識別符号と保証カードの微小識別マークのミクロ的輪郭線の形状の画像情報（マスター画像情報）が記録装置に保存されているのでそれを呼び出して照合する。送信されてきた画像のミクロ的輪郭線の形状とマスター画像のそれの二つの形状が一致するかどうかの判定は真贋判定管理センターのオペレーターが目視によって行ってもよいし、各種の数学的手法を駆使しコンピュターを用いた画像処理による形状一致度指数を算出して真贋を判定してもよい。
【００１６】
以上の方法によって物品に対応する保証カードが正規に製造された保証カードであるかどうかがきわめて高い確率で判定出来る。送信された微小識別マークが部分的に毀損していても一定の割合の残余があれば高い確率で真贋が判定できる。真贋判定管理センターが受信した画像とマスター画像が一致していれば、「この保証カードが付されている物品は本物です」、若し一致しているとは言えなければ「この保証カードが付されている物品は本物でない可能性が非常に高いです」とのメッセージを返信する。一般人である送信者はそれを受信して専門的レベルの真贋判定の結果を得る事が出来る。
【００１７】
なお判定精度については、ほとんど100％で同一性や相違性が判定できることを目的にして、差異のはっきりした特徴の大きい識別マークの輪郭のミクロ的形状が得られるように、識別マークのサイズ、形、印字の型やドットのサイズと間隔、色、インキの質、印刷媒体の質、印刷機の種類、等を試行錯誤で既に見出して使用しているのであるから、判定精度は極めて高いのは当然である。実験によればそれを見出すことは容易である。
以上のシステムを構築することによって一般人でも微小識別マークの真贋を判定する事が容易に出来るようになる。これによってこの保証カードが付してある物品そのものの真贋が極めて高い精度で判定できる。当該保証カードが世界で唯一無二の本物であることが確認されれば、それが付されている物品も本物であることはほぼ確実である。なぜなら本物の保証カードを手に入れるために本物の物品を多数購入して贋物に購入した本物の保証カードを付けて売る偽物業者はいないからである。それでは決して儲からないからである。
なお、上述の説明は、主としてデジタルカメラ付き携帯電話を前提にしているが、その機能は識別マークの撮像、送信受信、表示、のためであるから、デジタルカメラとパソコンを使っても同じ機能を得ることが出来る。
【産業上の利用可能性】
【００１８】
現在、紙幣、薬品を初め、バッグ、財布、服、時計、眼鏡、家電製品、等々のブランド品、パスポート、身分証明書、キャッシュカード、クレジットカード、免許証、車検証、卒業証書、有価証券、宝石の鑑定書、家畜の血統書、ペットの血統書、等々の証明書類の偽造品による被害額は、世界で1兆ドルに達していると言われている。その防止対策には莫大なコストが費やされている。本発明によってそれらの偽造品が存在し得なくなる。
本発明の特徴は真贋判定の識別マークが絶対に複製できないことと、一般人が容易に判定できるところにある。例えば医薬品において、包装は全く本物と同じで、また薬品の形も化学成分も全く同じなら、正規の製造業者でも本物と贋物の区別はつかない。その場合でも包装材に本発明による微小識別マークを印刷しておけば、真贋はたちどころに判別できる。結果、偽造品が存在できなくなるし、その莫大な退治コストが不要となる。
また本発明の特徴は、一般人が日常使っている器具または極めて安価に入手できる器具だけで実行できること、そして真贋判定側の事業者としても新しい技術開発も不要だし、設備投資もほとんど不要であるのでコストがほとんど掛からず、直ちに実行できることである。
従来このようなシステムはなかった。但し偽造品を偽造品として製造販売している物品については、もともと偽造品であることが分っているのであるから効果がない。
【符号の説明】
【００１９】
１１：カメラ付き携帯電話
１２：顕微鏡
１３：保証カード
１４：識別マーク
１５：真贋判定センターのサーバー
１６：真贋判定センターのサーバーの記憶装置
１７：電子的読取装置
２１：保証カード
２２：識別マークの目印となる無印刷地帯と外枠
２３：識別マーク
３１：デジタルカメラ
３２：顕微鏡
３３：保証カード
３４：保証カードの識別マーク
３５：真贋判定センターのサーバー
３６：真贋判定センターのサーバーの記憶装置
３７：電子的読取装置
【図１】
2014200998.tif 000003
【図２】
2014200998.tif 000004
【図３】
2014200998.tif 000005
【図４】
2014200998.tif 000006